(57)【特許請求の範囲】
【請求項１】
少なくとも１つのアクセスネットワークと、コアネットワークと、上記アクセスネットワークと上記コアネットワークとの間に接続された第１インターフェイスと、少なくとも１つのターミナル装置とを有するテレコミュニケーションネットワークにおいて、上記コアネットワークは、少なくとも１つのゲートウェイ装置と、該ゲートウェイ装置へ制御情報を送信することにより上記少なくとも１つのゲートウェイ装置を制御するように構成された少なくとも１つのアクセスネットワーク制御装置とを備えており、上記ゲートウェイ装置は、電話回路に搬送される音声信号と、インターネット又は他のパケットネットワークを経て搬送されるデータパケットとの間を変換するネットワーク要素であり、上記アクセスネットワーク制御装置と上記ゲートウェイ装置との間に第２インターフェイスが接続されており、上記制御情報は、上記第２インターフェイスを経て上記アクセスネットワーク制御装置から上記ゲートウェイ装置へ送信され、該テレコミュニケーションネットワークは、ユーザデータを、上記アクセスネットワーク制御装置を通して送信することなく、上記第１インターフェイスを経て上記アクセスネットワークと上記少なくとも１つのゲートウェイ装置との間に直接ルーティングするように構成されたことを特徴とするテレコミュニケーションネットワーク。
【請求項２】
上記第１インターフェイスは、上記アクセスネットワークから上記ゲートウェイ装置へ直接接続される請求項１に記載のテレコミュニケーションネットワーク。
【請求項３】
上記第２インターフェイスは、別のアクセスネットワーク制御装置を経て上記ゲートウェイ装置に接続される請求項１に記載のテレコミュニケーションネットワーク。
【請求項４】
上記第２インターフェイスは、上記アクセスネットワーク及び上記第１インターフェイスを経て上記ゲートウェイ装置へ接続される請求項１に記載のテレコミュニケーションネットワーク。
【請求項５】
上記ユーザデータは、リアルタイムデータを含む請求項１ないし４のいずれかに記載のテレコミュニケーションネットワーク。
【請求項６】
上記ユーザデータは、スピーチ、音声及び／又は映像データを含む請求項５に記載のテレコミュニケーションネットワーク。
【請求項７】
上記ユーザデータは、ＲＴＰを使用して送信される請求項６に記載のテレコミュニケーションネットワーク。
【請求項８】
上記第２インターフェイスは、ＩＳＵＰプロトコルを使用するように構成される請求項１ないし７のいずれかに記載のテレコミュニケーションネットワーク。
【請求項９】
上記第２インターフェイスは、ＭＧＣＰプロトコルを使用するように構成される請求項１ないし７のいずれかに記載のテレコミュニケーションネットワーク。
【請求項１０】
上記アクセスネットワークは、無線アクセスネットワークである請求項１ないし９のいずれかに記載のテレコミュニケーションネットワーク。
【請求項１１】
上記ユーザデータは、パケットネットワークを経てルーティングされる請求項１ないし１０のいずれかに記載のテレコミュニケーションネットワーク。
【請求項１２】
上記パケットネットワークは、ＡＴＭネットワークである請求項１１に記載のテレコミュニケーションネットワーク。
【請求項１３】
上記パケットネットワークは、ＩＰネットワークである請求項１１に記載のテレコミュニケーションネットワーク。
【請求項１４】
上記制御情報は、ＴＤＭＡネットワークを経て送信される請求項１ないし１３のいずれかに記載のテレコミュニケーションネットワーク。
【請求項１５】
上記制御情報は、パケットネットワークを経て送信される請求項１ないし１３のいずれかに記載のテレコミュニケーションネットワーク。
【請求項１６】
上記パケットネットワークは、ＡＴＭネットワークである請求項１５に記載のテレコミュニケーションネットワーク。
【請求項１７】
上記パケットネットワークは、ＩＰネットワークである請求項１５に記載のテレコミュニケーションネットワーク。
【請求項１８】
該テレコミュニケーションネットワークは、ＵＭＴＳネットワークである請求項１ないし１７のいずれかに記載のテレコミュニケーションネットワーク。
【請求項１９】
上記アクセスネットワーク制御装置は、移動交換センターＭＳＣである請求項１ないし１８のいずれかに記載のテレコミュニケーションネットワーク。
【請求項２０】
上記第１インターフェイスは、Ｉｕインターフェイスである請求項１ないし１９のいずれかに記載のテレコミュニケーションネットワーク。
【請求項２１】
少なくとも１つのアクセスネットワークと、コアネットワークと、上記アクセスネットワークと上記コアネットワークとの間に接続された第１インターフェイスと、少なくとも１つのターミナル装置とを有し、上記コアネットワークは、少なくとも１つのゲートウェイ装置と、少なくとも１つのアクセスネットワーク制御装置とを備え、上記ゲートウェイ装置は、電話回路に搬送される音声信号と、インターネット又は他のパケットネットワークを経て搬送されるデータパケットとの間を変換するネットワーク要素であり、上記アクセスネットワーク制御装置と上記ゲートウェイ装置との間に第２インターフェイスが接続されているようなテレコミュニケーションネットワークにおいてユーザデータをルーティングする方法において、
ａ）上記第２インターフェイスを経て上記アクセスネットワーク制御装置から上記ゲートウェイ装置へ制御情報を送信することにより上記少なくとも１つのゲートウェイ装置を制御し、
ｂ）ユーザデータを、上記アクセスネットワーク制御装置を通して送信することなく、上記第１インターフェイスを経て上記アクセスネットワークと上記少なくとも１つのゲートウェイ装置との間に直接ルーティングする、
という段階を含むことを特徴とする方法。
【請求項２２】
上記第２インターフェイスにはＩＳＵＰプロトコルが使用される請求項２１に記載の方法。
【請求項２３】
上記第２インターフェイスにはＭＧＣＰプロトコルが使用される請求項２１に記載の方法。
【請求項２４】
上記第１インターフェイスは、Ｉｕインターフェイスである請求項２１ないし２３のいずれかに記載の方法。
【請求項２５】
少なくとも１つのアクセスネットワークと、第１インターフェイスを経て上記アクセスネットワークへ接続されるコアネットワークと、少なくとも１つのターミナル装置とを有するテレコミュニケーションネットワークに使用するゲートウェイ装置において、該ゲートウェイ装置は、電話回路に搬送される音声信号と、インターネット又は他のパケットネットワークを経て搬送されるデータパケットとの間を変換するネットワーク要素であり、ａ）該ゲートウェイ装置は、第２インターフェイスを経て上記コアネットワークから制御情報を受信するように構成されており、またｂ）該ゲートウェイ装置は、上記第１インターフェイスを経て上記アクセスネットワークから直接的にユーザデータを受信するように構成されていることを特徴とするゲートウェイ装置。
【発明の詳細な説明】
【０００１】
【技術分野】
本発明は、テレコミュニケーションネットワークと、ＧＳＭ技術に基づく第３世代コアネットワークのようなコアネットワークのゲートウェイ装置へアクセスネットワークを経てユーザデータをルーティングする方法とに係る。
【０００２】
【背景技術】
第３世代の移動テレコミュニケーションシステムは、エンドユーザに、ターミナル及び個人の移動性とは別に、改善されたサービスを提供することを目的とする。第２世代システムに比して、エンドユーザとコアネットワーク要素との間、即ち移動ターミナルから無線アクセス及び固定ネットワークまでの全経路にわたる特徴をカバーする改善が必要となる。例えば、ユニバーサル移動テレコミュニケーションシステム（ＵＭＴＳ）は、Ｂ−ＩＳＤＮコアネットワークを仮定した第３世代システムである。
【０００３】
重要なことに、既存の技術を利用すると、使用するプロトコルに関して多数の問題が発生する。更に別の調査を必要とする最も重要な観点は、ＵＭＴＳが設定する機能的仕様及び性能目標を保持しながら既存のプロトコル及び機能を再利用することによりプロトコル仕様努力をいかに最小化できるかである。ＵＭＴＳの概念が開発されつつあり、そしてＩＭＴ−２０００規格に対する提案としてインターナショナル・テレコミュニケーション・ユニオン（ＩＴＵ）と統合されようとしている。ＵＭＴＳ／ＩＭＴ−２０００は、適当な周波数が利用できる次世代の個人向けサービスに偏在的にワイヤレスアクセスできるようにする。ＧＳＭオペレータは、改善されたサービスを供給するための多数のオプションを有する。例えば、ＧＳＭオペレータは、既存の周波数スペクトルにおいてＧＳＭを使用してＵＭＴＳ／ＩＭＴ−２０００能力のサービスを供給したり、既存のスペクトルにおいてＧＳＭ及びＷＣＤＭＡ（ワイドバンドコード分割多重アクセス）を使用したり、又は新規な２ＧＨｚのＵＭＴＳ／ＩＭＴ−２０００スペクトルにおいてＷＣＤＭＡと合成された既存のスペクトルにＧＳＭ及びＷＣＤＭＡを使用したりすることができる。全ての解決策は、導入コストを低くし、市場の需要と調和して掃き出しを行えるので高度な資本融通性を与え、そして既存のＧＳＭ装置を広範囲に再使用できるようにする。ＷＣＤＭＡは、ＧＳＭとの完全な後方互換性を与えるだけでなく、充分に証明されたＧＳＭ機能を含むコアネットワークとしてＧＳＭを完全に引き寄せる。
【０００４】
図１は、第３世代（３Ｇ）移動ネットワーク（ＵＭＴＳ、ＩＭＴ−２０００）のネットワーク要素と、それらネットワーク要素を接続するのに使用する対応するインターフェイスとを示す図である。図１によれば、ＧＳＭネットワーク１０は、Ａｔｅｒインターフェイスを経て第３世代のコアネットワーク７に接続される。第３世代コアネットワーク７は、ＧＳＭ技術をベースとするもので、ＧＳＭ移動交換センター（ＭＳＣ）を含む。この場合には、同じＭＳＣが、オープンＡインターフェイスを経てＧＳＭ及び３Ｇの両無線アクセスネットワークを取り扱うことができる。
３Ｇ無線アクセスネットワーク（３Ｇ  ＲＡＮ）２は、Ｉｕインターフェイスを経てコアネットワーク７に接続される。従って、ＧＳＭ  ＭＳＣがコアネットワーク７に使用される場合には、Ｉｕインターフェイスがインターワーキングユニット（ＩＷＵ）を経てＧＳＭ  ＭＳＣのＡインターフェイスに適応されねばならない。更に、Ａｔｅｒインターフェイス及びＡＴＭベースのＩｕインターフェイスのコアネットワーク側には、トランスコーダ（ＴＣ）（図示せず）が配置され、スピーチは、これらのインターフェイスを経てコードフォーマットで送信される。ＴＣは、Ａｔｅｒインターフェイス及びＩｕインターフェイスの各コードを、コアネットワーク７のオープンＡインターフェイスに必要とされるコードに適応させる。ＩｕインターフェイスとＡインターフェイスとの間に配置されるＴＣは、３Ｇ  ＴＣであり、これは、ＩＷＵに配置されてもよいし、又は３Ｇ  ＲＡＮ２に設けられた無線ネットワークコントローラ（ＲＡＮ）の一部分であってもよい。後者の場合には、Ｉｕインターフェイスが設けられない。別の可能性は、３Ｇ  ＲＡＮ２に対して専用の３Ｇ  ＭＳＣを設けることである。
【０００５】
コアネットワーク７は、ＩＳＵＰ（ＩＳＤＮシグナリングユーザパート）インターフェイスを経てＰＳＴＮ（公衆交換電話ネットワーク）及びＩＳＤＮ（サービス総合デジタル網）に接続される。ＩＳＵＰインターフェイスは、必要とされるＩＳＤＮコール設定及び制御機能を与える。更に、コアネットワーク７は、ＴＣＰ／ＩＰ（送信制御プロトコル／インターネットプロトコル）インターフェイスを経てインターネットに接続される。
従って、インターネット、ＰＳＴＮ又はＩＳＤＮは、通常のＧＳＭ移動ステーション（ＭＳ）１ａ、ＧＳＭ及び３Ｇ能力を有するＭＳ１ｂ、及び改善された第３世代能力をもつ３Ｇ  ＭＳ１ｃにより、セルラーＧＳＭ又は３Ｇ  ＲＡＮネットワーク１０及び２から共通のコアネットワーク７を経てアクセスすることができる。
【０００６】
上記トランスコード機能に加えて、コアネットワーク７は、例えば、モデムやビデオコーデックのような付加的な適応機能を含むことができる。しかしながら、ＴＣと同様に、これらの信号処理機能は、各アクセスネットワークインターフェイスに別々に設けねばならず、必要なネットワークリソースの数が増加する。
他方、他のネットワークへの相互接続は、現在、ＩＰ（インターネットプロトコル）ベースのインターフェイスを経てリアルタイム搬送能力を与える必要がある。それ故、通常、ゲートウェイ（ＧＷ）と称する相互接続装置が必要とされ、これは、ネットワークリソースの数を更に増加する。従って、移動ネットワークをＩＰベースのネットワークに接続するための簡単な方法が必要とされる。更に、ＭＳＣのようなネットワーク制御装置と、実際のユーザ平面処理機能との間にオープンインターフェイスをもたせるのが好都合である。
【０００７】
【発明の開示】
それ故、本発明の目的は、移動ネットワークを他のネットワークに接続するのに必要なネットワークリソースを節約することのできるテレコミュニケーションネットワークを提供することである。
この目的は、少なくとも１つのアクセスネットワークと、第１インターフェイスを経てアクセスネットワークに接続されたコアネットワークと、少なくとも１つのターミナル装置とを有するテレコミュニケーションネットワークにおいて、上記コアネットワークは、制御情報を送信することにより第２インターフェイスを経て少なくとも１つのゲートウェイ装置を制御するように構成された少なくとも１つのアクセスネットワーク制御装置を備え、そして上記テレコミュニケーションネットワークは、第１インターフェイスを経てアクセスネットワークと１つのゲートウェイ装置との間にユーザデータを直接ルーティングするように構成されたテレコミュニケーションネットワークによって達成される。
【０００８】
更に、上記目的は、第１インターフェイスを経てアクセスネットワークに接続されたコアネットワークのゲートウェイ装置へ上記アクセスネットワークを経てユーザデータをルーティングする方法において、コアネットワークから第２インターフェイスを経てゲートウェイ装置へ制御情報を供給することによりゲートウェイ装置を制御し、そして第１インターフェイスを経てアクセスネットワークとゲートウェイ装置との間にユーザデータを直接ルーティングするという段階を含む方法によって達成される。
従って、ユーザデータは、アクセスネットワークとゲートウェイ装置との間で第１インターフェイスを経て直接的にルーティングされるので、トランスコード機能及び他のデータ処理機能に必要な処理リソースを多数のアプリケーション間で分担することができる。従って、トランク利得を利用することができる。制御は、アクセスネットワーク制御エンティティ、例えば、ＭＳＣにより、専用且つオープンの制御インターフェイスを経て実行される。このように、アクセスネットワーク制御エンティティは、長い距離にわたってリソースを効率的に制御することができる。従って、本発明によれば、全てのユーザ平面処理機能を３Ｇ移動ネットワークのゲートウェイエンティティに共通配置できる場合には、リソースの実質的な節約を達成することができる。
【０００９】
第１インターフェイスは、送信ネットワークを経てアクセスネットワークからゲートウェイ装置へ直接接続することができる。
第２の可能性は、送信ネットワーク及び別のアクセスネットワーク制御装置を経てゲートウェイ装置へ第２インターフェイスを接続することである。
第３の可能性は、アクセスネットワーク及び第１インターフェイスを経てゲートウェイ装置へ第２インターフェイスを接続することである。この場合に、ゲートウェイ装置の制御は、ユーザデータと共に送信され、即ちインバンドであり、そしてアウトバンド制御は、アクセスネットワーク制御装置とアクセスネットワークとの間に与えられる。従って、アクセスネットワークは、アウトバンド制御情報をインバンド情報にマップする。
【００１０】
第２インターフェイスは、ＩＳＵＰプロトコル又はＭＧＣＰ（メディアゲートウェイコントロールプロトコル）を使用するよう適応できるのが好ましい。第１インターフェイスは、Ｉｕインターフェイスでよい。
ユーザデータは、スピーチ、音声及び／又は映像データのようなリアルタイムデータを含むのが好ましい。この場合に、ユーザデータは、ＲＴＰ（リアルタイムプロトコル）を使用して送信することができる。従って、リアルタイム音声及び映像情報は、インターネットを経て送信又は受信することができる。
ユーザデータは、ＡＴＭネットワーク又はＩＰネットワークのようなパケットネットワークを経てルーティングできるのが好ましい。制御情報は、ＴＤＭＡネットワーク又はパケットネットワーク、例えば、ＡＴＭ又はＩＰネットワークを経て送信することができる。
アクセスネットワークの制御ユニットは、移動交換センターであるのが好ましい。
【００１１】
【発明を実施するための最良の形態】
以下、添付図面を参照して、本発明の好ましい実施形態を詳細に説明する。
本発明によるテレコミュニケーションネットワーク及びルーティング方法の好ましい実施形態を、３Ｇ移動ネットワークに基づいて以下に説明する。
図２は、図１のＧＳＭ／３Ｇコアネットワーク７を示すブロック図であり、これは、ＰＳＴＮ、ＩＳＤＮ又はインターネットのような固定ネットワークに接続されたゲートウェイ装置ＧＷ５を備えている。３Ｇ  ＲＡＮ２は、Ｉｕインターフェイスを経て、３Ｇ  ＲＡＮ２にサービスするように構成されたサービスＭＳＣ（ＳＭＳＣ）３に接続される。更に、３Ｇ  ＲＡＮ２は、Ｉｕインターフェイス及び送信ネットワークを経てＧＷ５に直結される。コアネットワーク７のＳＭＳＣ３は、ユーザデータを３Ｇ  ＲＡＮ２からＧＷ５へ直接ルーティングするように制御を実行する。ＧＷ５は、ＳＭＳＣ３により専用且つオープン制御インターフェイスを経て制御される。更に、ＧＷ５は、ＭＧＣＰインターフェイスを経て別のＭＳＣ４に接続され、これは、サービングＭＳＣでもよいし、非サービングＭＳＣでもよい。ＧＷ５は、個別に配置することもできるし、ＭＳＣに一体化することもできる。
【００１２】
より詳細には、ＧＷ５は、電話回路に搬送される音声信号と、インターネット又は他のパケットネットワークを経て搬送されるデータパケットとの間を変換するネットワーク要素である。ＧＷ５は、電話ネットワークとボイス・オーバー・ＩＰネットワークとの間のインターフェイスを果たすトランキングゲートウェイ、ＡＴＭネットワークにインターフェイスするボイス・オーバー・ＡＴＭゲートウェイ、ボイス・オーバー・ＩＰネットワークへの従来のアナログインターフェイスを与える住居用ゲートウェイ、ボイス・オーバー・ＩＰネットワークへの従来のアナログ又はデジタルＰＢＸ（構内交換機）インターフェイスを与えるアクセスゲートウェイ、ボイス・オーバー・ＩＰネットワークへの従来のデジタルＰＢＸインターフェイス又は一体化「ソフトＰＢＸ」インターフェイスを与えるビジネスゲートウェイ、電話回路にモデムをアタッチできそしてインターネットへのデータアクセスを与えるネットワークアクセスサーバー、或いは外部制御要素への制御インターフェイスを与えることのでき回路スイッチ又はパケットスイッチでよい。
【００１３】
ＭＧＣＰインターフェイスとは、外部制御要素からＧＷ装置を制御するように構成されたインターフェイスである。ＭＧＣＰは、コール制御「インテリジェンス」がゲートウェイの外部にあって、外部コール制御要素によって取り扱われるようなコール制御アーキテクチャーを仮定する。ＭＧＣＰは、これらのコール制御要素又はコールエージェントが互いに同期して、それらの制御のもとでゲートウェイにコヒレントなコマンドを送信すると仮定する。ＭＧＣＰは、コールエージェントを同期するメカニズムを定義するものではない。ＭＧＣＰは、本質的に、ゲートウェイが、コールエージェント即ちＳＭＳＣ３により送信されたコマンドを実行するよう期待されるマスター／スレーブプロトコルである。ＭＧＣＰは、外部にとって単一のＶｏＩＰ（ボイス・オーバー・インターネット）ゲートウェイのように見える分散型システム内の内部プロトコルとして設計される。
【００１４】
好ましい実施形態によれば、ユーザデータは、制御情報に対して使用されるものとは異なる個別ネットワークを経てＧＷ５にルーティングすることができる。個別ネットワークは、ＡＴＭネットワーク又はＩＰネットワークのようなパケットネットワークである。制御シグナリングは、ＴＤＭＡ又はパケットネットワーク、例えば、ユーザ平面ＡＴＭネットワーク又はＩＰネットワークを使用する。それ故、ＳＭＳＣ３は、単に、制御平面を取り扱うエンティティのままであり、ＭＳＣと、コアネットワーク７に接続された無線アクセスネットワークとの間にもはやＴＣは必要とされない。制御シグナリングは、ＩＰネットワークのようなパケットネットワークを経て実行することができる。
以下、ＳＭＳＣ３によりＧＷ５を制御するための３つの例を、図２及び３に基づいて説明する。
【００１５】
図３は、データ及び制御情報の流れを対応する矢印で示す情報フローチャートであり、各行は、別々の送信ケースに対応し、そして上部の矢印は、以前の送信を示す。
図３の上の（第１の）行には、移動ステーション（ＭＳ）とＧＷ５との間のユーザデータ流が示されている。リアルタイムスピーチ、音声及び／又は映像データのようなユーザデータは、対応する無線インターフェイスを経てＭＳからＲＡＮ２へ送信される。その後、ユーザデータは、３Ｇ  ＲＡＮ２からＩｕインターフェイスを経てＧＷ５へ直接ルーティングされる。これにより、３Ｇ  ＲＡＮ２とＳＭＳＣ３との間のトランスコード機能は必要とされない。トランスコード、モデム、ビデオコーデック等のデータ処理機能は、ＧＷ５において集中的に行うことができる。
【００１６】
図３の第２行には、ＳＭＳＣ３からＧＷ５へ制御情報を供給するための第１の例が示されている。このケースでは、ＳＭＳＣ３がＭＧＣＰインターフェイスを経てＧＷ５に接続される（図２における下の破線を参照）。従って、この例では、制御シグナリングは、ＳＭＳＣ３からＧＷ５へ直接送信される。従って、ＳＭＳＣ３とＧＷ５との間には、個別の制御平面接続が要求される。ＧＷ５を制御するために他の適当な制御プロトコルを使用できることに注意されたい。
図３の第３行には、第２の制御例が示されている。この例では、３Ｇ  ＲＡＮ２とＧＷ５との間で個別のインバンド制御シグナリングが実行される。従って、３Ｇ  ＲＡＮ２とＧＷ５との間にそれ自身の制御平面（例えば、ＭＧＣＰ接続）が設けられない場合には、３Ｇ  ＲＡＮ２に対して専用のリソースが必要とされる。或いは又、３Ｇ  ＲＡＮ２から受信されるインバンドシグナリングに基づいてＧＷ５にリソースを割り当てることができる。更に、ＳＭＳＣ３と３Ｇ  ＲＡＮ２との間にはアウトバンド制御インターフェイスが設けられ、この場合、３ＧＲＡＮ２は、アウトバンド制御情報を、ＧＷ５に送信されるインバンド制御情報へとマップする。
【００１７】
図３の第４行には第３の例が示されており、この場合、ＳＭＳＣ３は、ＧＷ５に接続された他のＭＳＣ４を経てＧＷ５を制御する。このオプションでは、ＳＭＳＣ３とＭＳＣ４との間に制御平面が必要とされる。これは、図２における上の破線で示されたように、例えば、更新されたＩＳＵＰインターフェイスによって達成することができる。この場合に、ＧＷ５を制御するＭＳＣ４は、ＩＳＵＰインターフェイスを経て受信された制御情報を、ＧＷ５を制御するのに使用されるＭＧＣＰへとマップすることができる。或いは又、制御情報を変換するためにＭＳＣ４により既知の方法を使用することもできる。
要約すれば、本発明は、テレコミュニケーションネットワークに係ると共に、ユーザデータを、第１インターフェイスを経てアクセスネットワークに接続されたコアネットワークのゲートウェイ装置へ、アクセスネットワークを経てルーティングするルーティング方法に係る。ゲートウェイ装置の制御は、コアネットワークから第２インターフェイスを経てゲートウェイ装置へ制御情報を供給することにより実行され、そしてユーザデータは、アクセスネットワークとゲートウェイ装置との間で第１インターフェイスを経て直接ルーティングされる。従って、ユーザデータは、アクセスネットワークからゲートウェイへ直接ルーティングされ、一方、制御は、専用且つオープンの制御インターフェイスを経て実行することができる。これにより、処理リソースを多数のアプリケーション間で共用することができ、そしてトランキング利得を利用することができる。更に、インターネットを移動ネットワークに接続する簡単な方法によりリアルタイム搬送能力を与えることができる。
【００１８】
好ましい実施形態で説明したテレコミュニケーションネットワーク及びルーティング方法は、コアネットワークを経てゲートウェイ装置に接続されるいかなるアクセスネットワークにも適用できることを指摘しておく。特に、コアネットワーク及びアクセスネットワークは、いかなる種類のテレコミュニケーションネットワークでもよく、従って、セルラー又は移動ネットワークに制約されない。更に、ＧＷ５を制御するために任意の適当なアクセスネットワーク制御エンティティを使用することができる。好ましい実施形態の上記説明及び添付図面は、単に本発明を例示するものに過ぎない。従って、本発明の好ましい実施形態は、特許請求の範囲内で種々変更し得るものである。
【図面の簡単な説明】
【図１】  固定ネットワークに接続されたセルラーネットワークより成るテレコミュニケーションネットワークを示す図である。
【図２】  本発明の好ましい実施形態によるコアネットワークのブロック図である。
【図３】  好ましい実施形態の３つの例によりネットワーク要素間の情報の流れを示す図である。
【図１】
0003801915.tif 000002
【図２】
0003801915.tif 000003
【図３】
0003801915.tif 000004